(57)【要約】      （修正有）【課題】塵埃が他の電子部品の使用に与える影響が低減するとともに、作業環境が向上し、除電装置の使用効果が向上する除電装置を提供する。【解決手段】支持板１と、プーリ２と、箱体３と、を含む電子部品の除電装置において、支持板１の底部両側にそれぞれプーリ２が設けられ、箱体３は、支持板１の頂部中央に設けられ、支持板１の底部中央に塵埃回収箱４が設けられ、箱体３の一方側に除塵アセンブリが設けられ、箱体３の他方側に除電アセンブリが設けられる。箱体３の内部は、吸塵ファンキャビティ及びイオンファンキャビティから構成され、吸塵ファンキャビティとイオンファンキャビティとの間に仕切板が設けられる。吸塵ファンをオンにすることにより、予め電子部品に対して吸塵処理を行う。また、取付ブラケット及びクッションを設けることにより、使用中の安定性が保証され、除電装置の使用効果が向上する。【選択図】図１
0003233008.tif 000002
【実用新案登録請求の範囲】
【請求項１】
支持板（１）と、プーリ（２）と、箱体（３）と、を含む電子部品の除電装置であって、
前記支持板（１）の底部両側にそれぞれプーリ（２）が設けられ、
前記箱体（３）は、前記支持板（１）の頂部中央に設けられ、
前記支持板（１）の底部中央に塵埃回収箱（４）が設けられ、
前記箱体（３）の一方側に除塵アセンブリが設けられ、
前記箱体（３）の他方側に除電アセンブリが設けられ、
前記箱体（３）の内部は、吸塵ファンキャビティ（５）及びイオンファンキャビティ（６）から構成され、
前記吸塵ファンキャビティ（５）と前記イオンファンキャビティ（６）との間に仕切板が設けられ、
前記吸塵ファンキャビティ（５）の内部に吸塵ファン（７）が設けられ、
前記吸塵ファン（７）の一方側に吸気パイプ（８）が形成され、
前記吸塵ファン（７）の底部の一方側に排塵パイプ（９）が形成され、
前記吸塵ファン（７）は、前記排塵パイプ（９）を介して前記塵埃回収箱（４）の内部に連通し、
前記イオンファンキャビティ（６）は、内部にイオンファン（１０）が設けられ、一方側の外壁に吸気孔が形成される
ことを特徴とする電子部品の除電装置。
【請求項２】
請求項１に記載の電子部品の除電装置であって、
前記除塵アセンブリは、第１支持ブラケット（１１）、吸着キャビティ（１２）、第１接続ヘッド（１３）、及び第１伸縮接続パイプ（１４）から構成され、
前記第１支持ブラケット（１１）は、前記箱体（３）の一方側に設けられ、
前記第１支持ブラケット（１１）の底部は、前記支持板（１）の頂部に固定して接続され、
前記吸着キャビティ（１２）は、前記箱体（３）から離間する前記第１支持ブラケット（１１）の一側に形成され、
前記吸着キャビティ（１２）は、前記第１支持ブラケット（１１）から離間する一側に材料投入口が設けられ、前記第１支持ブラケット（１１）に近い側が前記第１接続ヘッド（１３）の一方側に接続され、
前記第１接続ヘッド（１３）の他方側は、前記第１伸縮接続パイプ（１４）の一方側に接続され、
前記第１接続ヘッド（１３）から離間する前記第１伸縮接続パイプ（１４）の一側は、前記吸塵ファン（７）側の吸気パイプ（８）に接続される
ことを特徴とする電子部品の除電装置。
【請求項３】
請求項２に記載の電子部品の除電装置であって、
前記第１接続ヘッド（１３）は、内部が第１キャビティとして形成され、一方側が前記第１キャビティを介して前記吸着キャビティ（１２）の内部に連通し、
前記第１接続ヘッド（１３）の他方側は、前記第１キャビティを介して前記第１伸縮接続パイプ（１４）の内部に連通し、
前記第１接続ヘッド（１３）は、頂部に第１ハンドルが設けられ、底部が前記第１支持ブラケット（１１）の頂部に接触する
ことを特徴とする電子部品の除電装置。
【請求項４】
請求項１に記載の電子部品の除電装置であって、
前記除電アセンブリは、第２支持ブラケット（１５）、ノズル（１６）、第２接続ヘッド（１７）、及び第２伸縮接続パイプ（１８）から構成され、
前記第２支持ブラケット（１５）は、前記箱体（３）の一方側に設けられ、
前記第２支持ブラケット（１５）の底部は、前記支持板（１）の頂部に固定して接続され、
前記ノズル（１６）は、前記箱体（３）から離間する前記第２支持ブラケット（１５）の一側に設けられ、
前記ノズル（１６）の一方側に前記第２接続ヘッド（１７）が接続され、
前記ノズル（１６）から離間する前記第２接続ヘッド（１７）の一側に前記第２伸縮接続パイプ（１８）が接続され、
前記第２接続ヘッド（１７）から離間する前記第２伸縮接続パイプ（１８）の一側に前記イオンファン（１０）の排気口が接続される
ことを特徴とする電子部品の除電装置。
【請求項５】
請求項４に記載の電子部品の除電装置であって、
前記第２接続ヘッド（１７）は、内部が第２キャビティとして形成され、一方側が前記第２キャビティを介して前記ノズル（１６）の内部に連通し、
前記第２接続ヘッド（１７）の他方側は、前記第２キャビティを介して前記第２伸縮接続パイプ（１８）の内部に連通し、
前記第２接続ヘッド（１７）は、底部に第２ハンドルが設けられ、底部が前記第２支持ブラケット（１５）の頂部に接触する
ことを特徴とする電子部品の除電装置。
【請求項６】
請求項１に記載の電子部品の除電装置であって、
前記イオンファン（１０）の底部に取付ブラケット（１９）が設けられ、
前記取付ブラケット（１９）は、底部が前記イオンファンキャビティ（６）の底部の内壁に固定して接続され、頂部にクッション（２０）が固定して接続され、
前記クッション（２０）の頂部は、前記イオンファン（１０）の底部に固定して接続される
ことを特徴とする電子部品の除電装置。
【考案の詳細な説明】
【技術分野】
【０００１】
本考案は、除電設備技術領域に関し、特に電子部品の除電装置に関する。
【背景技術】
【０００２】
電子部品は、電子回路の基本素子であり、通常は、個別にパッケージされ、二つ又はそれ以上のリード又は金属接点を有する。アンプ、ラジオ受信機、発振器等の特定の機能を備えた電子回路を形成するには、電子部品は、相互に接続する必要がある。電子部品を長時間使用すると、静電気による電子部品への損傷が生じやすい。また、塵埃が過剰な静電気により電子部品の頂部にたまるため、電子部品の使用に影響を与える。電子部品の使用に対する静電気の影響を低減するために、電子部品から静電気を除去する除電装置が使用されている。
【０００３】
しかしながら、従来の電子部品の除電装置は、使用する際に、予め電子部品の頂部にたまった塵埃を処理しないため、除電するときに大量の塵埃が飛ばされる。これにより、他の電子部品の使用に影響を与えるとともに、スタッフの作業環境にも影響を及ぼす。
【考案の概要】
【０００４】
上述した目的を実現するために、本考案のある様態によれば、支持板と、プーリと、箱体と、を含む電子部品の除電装置を提供する。前記支持板の底部両側にそれぞれプーリが設けられ、前記箱体は、前記支持板の頂部中央に設けられ、前記支持板の底部中央に塵埃回収箱が設けられ、前記箱体の一方側に除塵アセンブリが設けられ、前記箱体の他方側に除電アセンブリが設けられ、前記箱体の内部は、吸塵ファンキャビティ及びイオンファンキャビティから構成され、前記吸塵ファンキャビティと前記イオンファンキャビティとの間に仕切板が設けられ、前記吸塵ファンキャビティの内部に吸塵ファンが設けられ、前記吸塵ファンの一方側に吸気パイプが形成され、前記吸塵ファンの底部の一方側に排塵パイプが形成され、前記吸塵ファンは、前記排塵パイプを介して前記塵埃回収箱の内部に連通し、前記イオンファンキャビティは、内部にイオンファンが設けられ、一方側の外壁に吸気孔が形成される。
【０００５】
好ましくは、前記除塵アセンブリは、第１支持ブラケット、吸着キャビティ、第１接続ヘッド、及び第１伸縮接続パイプから構成され、前記第１支持ブラケットは、前記箱体の一方側に設けられ、前記第１支持ブラケットの底部は、前記支持板の頂部に固定して接続され、前記吸着キャビティは、前記箱体から離間する前記第１支持ブラケットの一側に形成され、前記吸着キャビティは、前記第１支持ブラケットから離間する一側に材料投入口が設けられ、前記第１支持ブラケットに近い側が前記第１接続ヘッドの一方側に接続され、前記第１接続ヘッドの他方側は、前記第１伸縮接続パイプの一方側に接続され、前記第１接続ヘッドから離間する前記第１伸縮接続パイプの一側は、前記吸塵ファン側の吸気パイプに接続される。使用する際に、吸塵ファンをオンにすることにより、吸塵ファンは予め吸着キャビティにより電子部品の外壁にたまった塵埃に対して吸塵処理を行うことができ、塵埃を排塵パイプにより塵埃回収箱の内部に回収することができる。これにより、除電装置により電子部品から静電気を除去する際に塵埃が飛ばされることが減少され、塵埃が他の電子部品の使用に与える影響が低減するとともに、作業環境が向上し、除電装置の使用効果が向上する。
【０００６】
好ましくは、前記第１接続ヘッドは、内部が第１キャビティとして形成され、一方側が前記第１キャビティを介して前記吸着キャビティの内部に連通し、前記第１接続ヘッドの他方側は、前記第１キャビティを介して前記第１伸縮接続パイプの内部に連通し、前記第１接続ヘッドは、頂部に第１ハンドルが設けられ、底部が前記第１支持ブラケットの頂部に接触する。使用する際に、第１ハンドルを移動することにより、第１接続ヘッドは必要に応じて移動することができ、除電装置の使用の便利性が向上する。
【０００７】
好ましくは、前記除電アセンブリは、第２支持ブラケット、ノズル、第２接続ヘッド、及び第２伸縮接続パイプから構成され、前記第２支持ブラケットは、箱体の一方側に設けられ、前記第２支持ブラケットの底部は、前記支持板の頂部に固定して接続され、前記ノズルは、前記箱体から離間する前記第２支持ブラケットの一側に設けられ、前記ノズルの一方側に前記第２接続ヘッドが接続され、前記ノズルから離間する前記第２接続ヘッドの一側に前記第２伸縮接続パイプが接続され、前記第２接続ヘッドから離間する前記第２伸縮接続パイプの一側に前記イオンファンの排気口が接続される。使用する際に、イオンファンをオンにすることにより、イオンファンに電荷流が発生し、電子部品の外壁の静電気を除去することができ、除電装置の使用効果が向上する。
【０００８】
好ましくは、前記第２接続ヘッドは、内部が第２キャビティとして形成され、一方側が前記第２キャビティを介して前記ノズルの内部に連通し、前記第２接続ヘッドの他方側は、前記第２キャビティを介して前記第２伸縮接続パイプの内部に連通し、前記第２接続ヘッドは、底部に第２ハンドルが設けられ、底部が前記第２支持ブラケットの頂部に接触する。使用する際に、第２ハンドルを移動することにより、第２接続ヘッドは必要に応じて移動することができ、除電装置の使用の便利性が向上する。
【０００９】
好ましくは、前記イオンファンの底部に取付ブラケットが設けられ、前記取付ブラケットは、底部が前記イオンファンキャビティの底部の内壁に固定して接続され、頂部にクッションが固定して接続され、前記クッションの頂部は、前記イオンファンの底部に固定して接続される。取付ブラケットを設けることにより、イオンファンの固定作業が簡単になる。また、取付ブラケット及び取付ブラケットの頂部のクッションを設けることにより、ファンの使用中に発生した振動によるイオンファンの使用への影響が減少され、イオンファンの使用中の安定性が保証され、除電装置の使用効果が向上する。
【考案の効果】
【００１０】
本考案の態様は、下記の有益な効果を奏する。
本考案では、吸塵ファン、塵埃回収箱、及び除塵アセンブリを設けることにより、使用する際に、吸塵ファンをオンにすることにより、吸塵ファンは予め吸着キャビティにより電子部品の外壁にたまった塵埃に対して吸塵処理を行うことができ、塵埃を排塵パイプにより塵埃回収箱の内部に回収することができる。これにより、除電装置により電子部品から静電気を除去する際に塵埃が飛ばされることが減少され、塵埃が他の電子部品の使用に与える影響が低減するとともに、作業環境が向上し、除電装置の使用効果が向上する。
【００１１】
また、本考案では、取付ブラケットを設けることにより、使用する際に、イオンファンの固定作業が簡単になる。取付ブラケット及び取付ブラケットの頂部のクッションを設けることにより、ファンの使用中に発生した振動によるイオンファンの使用への影響が減少され、イオンファンの使用中の安定性が保証され、除電装置の使用効果が向上する。
【図面の簡単な説明】
【００１２】
【図１】本考案の実施例に係る全体構造模式図である。
【図２】本考案の実施例に係る内部構造の全体模式図である。
【図３】本考案の実施例に係る取付ブラケットの構造模式図である。
【図４】図２におけるＡ部分の拡大図である。
【考案を実施するための形態】
【００１３】
図１−４に示すように、本考案では、電子部品の除電装置は、支持板１と、プーリ２と、箱体３と、を含む。前記支持板１の底部両側にそれぞれプーリ２が設けられ、前記箱体３は、前記支持板１の頂部中央に設けられ、前記支持板１の底部中央に塵埃回収箱４が設けられ、前記箱体３の一方側に除塵アセンブリが設けられ、前記箱体３の他方側に除電アセンブリが設けられ、前記箱体３の内部は、吸塵ファンキャビティ５及びイオンファンキャビティ６から構成され、前記吸塵ファンキャビティ５と前記イオンファンキャビティ６との間に仕切板が設けられ、前記吸塵ファンキャビティ５の内部に吸塵ファン７が設けられ、前記吸塵ファン７の一方側に吸気パイプ８が形成され、前記吸塵ファン７の底部の一方側に排塵パイプ９が形成され、前記吸塵ファン７は、前記排塵パイプ９を介して前記塵埃回収箱４の内部に連通し、前記イオンファンキャビティ６は、内部にイオンファン１０が設けられ、一方側の外壁に吸気孔が形成される。
【００１４】
また、前記除塵アセンブリは、第１支持ブラケット１１、吸着キャビティ１２、第１接続ヘッド１３、及び第１伸縮接続パイプ１４から構成され、前記第１支持ブラケット１１は、前記箱体３の一方側に設けられ、前記第１支持ブラケット１１の底部は、前記支持板１の頂部に固定して接続され、前記吸着キャビティ１２は、前記箱体３から離間する前記第１支持ブラケット１１の一側に形成され、前記吸着キャビティ１２は、前記第１支持ブラケット１１から離間する一側に材料投入口が設けられ、前記第１支持ブラケット１１に近い側が前記第１接続ヘッド１３の一方側に接続され、前記第１接続ヘッド１３の他方側は、前記第１伸縮接続パイプ１４の一方側に接続され、前記第１接続ヘッド１３から離間する前記第１伸縮接続パイプ１４の一側は、前記吸塵ファン７側の吸気パイプ８に接続される。使用する際に、吸塵ファン７をオンにすることにより、吸塵ファン７は予め吸着キャビティ１２により電子部品の外壁にたまった塵埃に対して吸塵処理を行うことができ、塵埃を排塵パイプ９により塵埃回収箱４の内部に回収することができる。これにより、除電装置により電子部品から静電気を除去する際に塵埃が飛ばされることが減少され、塵埃が他の電子部品の使用に与える影響が低減するとともに、作業環境が向上し、除電装置の使用効果が向上する。
【００１５】
また、前記第１接続ヘッド１３は、内部が第１キャビティとして形成され、一方側が前記第１キャビティを介して前記吸着キャビティ１２の内部に連通し、前記第１接続ヘッド１３の他方側は、前記第１キャビティを介して前記第１伸縮接続パイプ１４の内部に連通し、前記第１接続ヘッド１３は、頂部に第１ハンドルが設けられ、底部が前記第１支持ブラケット１１の頂部に接触する。使用する際に、第１ハンドルを移動することにより、第１接続ヘッド１３は必要に応じて移動することができ、除電装置の使用の便利性が向上する。
【００１６】
また、前記除電アセンブリは、第２支持ブラケット１５、ノズル１６、第２接続ヘッド１７、及び第２伸縮接続パイプ１８から構成され、前記第２支持ブラケット１５は、箱体３の一方側に設けられ、前記第２支持ブラケット１５の底部は、前記支持板１の頂部に固定して接続され、前記ノズル１６は、前記箱体３から離間する前記第２支持ブラケット１５の一側に設けられ、前記ノズル１６の一方側に前記第２接続ヘッド１７が接続され、前記ノズル１６から離間する前記第２接続ヘッド１７の一側に前記第２伸縮接続パイプ１８が接続され、前記第２接続ヘッド１７から離間する前記第２伸縮接続パイプ１８の一側に前記イオンファン１０の排気口が接続される。使用する際に、イオンファン１０をオンにすることにより、イオンファン１０に電荷流が発生し、電子部品の外壁の静電気を除去することができ、除電装置の使用効果が向上する。
【００１７】
また、前記第２接続ヘッド１７は、内部が第２キャビティとして形成され、一方側が前記第２キャビティを介して前記ノズル１６の内部に連通し、前記第２接続ヘッド１７の他方側は、前記第２キャビティを介して前記第２伸縮接続パイプ１８の内部に連通し、前記第２接続ヘッド１７は、底部に第２ハンドルが設けられ、底部が前記第２支持ブラケット１５の頂部に接触する。使用する際に、第２ハンドルを移動することにより、第２接続ヘッド１７は必要に応じて移動することができ、除電装置の使用の便利性が向上する。
【００１８】
また、前記イオンファン１０の底部に取付ブラケット１９が設けられ、前記取付ブラケット１９は、底部が前記イオンファンキャビティ６の底部の内壁に固定して接続され、頂部にクッション２０が固定して接続され、前記クッション２０の頂部は、前記イオンファン１０の底部に固定して接続される。取付ブラケット１９を設けることにより、イオンファン１０の固定作業が簡単になる。また、取付ブラケット１９及び取付ブラケット１９の頂部のクッション２０を設けることにより、ファンの使用中に発生した振動によるイオンファン１０の使用への影響が減少され、イオンファン１０の使用中の安定性が保証され、除電装置の使用効果が向上する。
【００１９】
動作の原理
使用する際に、吸塵ファン７をオンにすることにより、吸塵ファン７は予め吸着キャビティ１２により電子部品の外壁にたまった塵埃に対して吸塵処理を行うことができ、塵埃を排塵パイプ９により塵埃回収箱４の内部に回収することができる。これにより、除電装置により電子部品から静電気を除去する際に塵埃が飛ばされることが減少される。事前除塵が完了した後、吸塵ファン７をオフにし、イオンファン１０をオンにすることにより、イオンファン１０に電荷流が発生し、電子部品の外壁の静電気を除去することができる。
【符号の説明】
【００２０】
１：支持板
２：プーリ
３：箱体
４：塵埃回収箱
５：吸塵ファンキャビティ
６：イオンファンキャビティ
７：吸塵ファン
８：吸気パイプ
９：排塵パイプ
１０：イオンファン
１１：第１支持ブラケット
１２：吸着キャビティ
１３：第１接続ヘッド
１４：第１伸縮接続パイプ
１５：第２支持ブラケット
１６：ノズル
１７：第２接続ヘッド
１８：第２伸縮接続パイプ
１９：取付ブラケット
２０：クッション
【図１】
0003233008.tif 000003
【図２】
0003233008.tif 000004
【図３】
0003233008.tif 000005
【図４】
0003233008.tif 000006